(57)【要約】【課題】盗聴・盗撮器を発見するために好適な盗聴・盗撮器発見装置、及び、盗聴・盗撮器発見方法を提供する。【解決手段】受信装置１０は、任意の周波数を有する信号を受信する。盗聴・盗撮波検出装置２０は、受信装置１０が受信した信号の強度値が第１の閾値以上であるか否かを判別する。その信号の強度値が第１の閾値以上であると盗聴・盗撮波検出装置２０が判別した場合に、その信号の強度値が連続的に第１の閾値以上であると盗聴・盗撮波検出装置２０が判別した時間である連続検出時間が、５［ｍｉｎ］より長いか否かを盗聴・盗撮波検出装置２０は判別する。連続検出時間が第１の基準時間より長いと盗聴・盗撮波検出装置２０が判別した場合に、盗聴・盗撮波検出装置２０は、受信装置１０が受信した信号は盗聴・盗撮によるものであると判別する。【選択図】図１
2008301296.tif 000002
【特許請求の範囲】
【請求項１】
設定された周波数の信号を受信する信号受信部と、
前記信号受信部が受信した信号の強度値が第１の閾値以上であるか否かを判別する信号強度判別部と、
前記信号受信部が受信した信号の強度値が第１の閾値以上であると前記信号強度判別部が判別した場合に、前記信号受信部が受信した信号の強度値が連続的に第１の閾値以上であると前記信号強度判別部が判別した時間である連続検出時間が第１の基準時間より長いか否かを判別する第１の時間比較部と、
前記連続検出時間が前記第１の基準時間より長いと前記第１の時間比較部が判別した場合に、前記信号受信部が受信した信号は盗聴・盗撮によるものであることを報知する報知部と、を備える、
ことを特徴とする盗聴・盗撮器発見装置。
【請求項２】
前記連続検出時間が前記第１の基準時間より短いと前記第１の時間比較部が判別し、且つ、前記信号の強度値が第１の閾値未満となったと前記信号強度判別部が判別した場合に、前記信号の強度値が連続的に第１の閾値未満であると前記信号強度判別部が判別した時間である連続未検出時間が、前記第１の基準時間より短い第２の基準時間より長いか否かを判別する第２の時間比較部と、
前記連続未検出時間が前記第２の基準時間より短いと前記第２の時間比較部が判別した場合に、前記信号受信部が受信する信号の設定周波数を変更する周波数変更部と、をさらに備え、
前記第１の時間比較部に、前記周波数変更部が前記設定周波数を変更した信号の強度値が連続的に前記第１の閾値以上であると前記信号強度判別部が判別した時間である連続検出時間を含む、前記信号受信部が受信した信号の全ての設定周波数毎の連続検出時間の合計時間が第１の基準時間より長いか否かを判別させ、
前記設定周波数毎の連続検出時間の合計時間が第１の基準時間より長いと前記第１の時間比較部が判別した場合に、前記報知部に、前記周波数変更部が変更した設定周波数と、変更する前の設定周波数との間の周波数帯域に盗聴・盗撮波の一部が存在すると報知させる、
ことを特徴とする請求項１に記載の盗聴・盗撮器発見装置。
【請求項３】
盗聴・盗撮波が存在しないとみなされる周波数を記憶する周波数記憶部をさらに備え、
前記信号受信部は、前記周波数記憶部が記憶している周波数を除いた周波数を有する信号を順に受信し、
前記第１の時間比較部は、前記信号受信部が受信した信号が盗聴・盗撮波または盗聴・盗撮波の一部であるかを逐一判別する、
ことを特徴とする請求項１又は２に記載の盗聴・盗撮器発見装置。
【請求項４】
設定された周波数の信号を受信する信号受信ステップと、
前記信号受信ステップで受信した信号の強度値が第１の閾値以上であるか否かを判別する信号強度判別ステップと、
前記信号受信ステップで受信した信号の強度値が第１の閾値以上であると前記信号強度判別ステップで判別した場合に、前記信号受信ステップで受信した信号の強度値が連続的に第１の閾値以上であると前記信号強度判別ステップで判別した時間である連続検出時間が第１の基準時間より長いか否かを判別する第１の時間比較ステップと、
前記連続検出時間が前記第１の基準時間より長いと前記第１の時間比較ステップで判別した場合に、前記信号受信ステップで受信した信号は盗聴・盗撮によるものであることを報知する報知ステップと、を備える、
ことを特徴とする盗聴・盗撮器発見方法。
【請求項５】
前記連続検出時間が前記第１の基準時間より短いと前記第１の時間比較ステップで判別し、且つ、前記信号の強度値が第１の閾値未満となったと前記信号強度判別ステップで判別した場合に、前記信号の強度値が連続的に第１の閾値未満であると前記信号強度判別ステップで判別した時間である連続未検出時間が、前記第１の基準時間より短い第２の基準時間より長いか否かを判別する第２の時間比較ステップと、
前記連続未検出時間が前記第２の基準時間より短いと前記第２の時間比較ステップで判別した場合に、前記信号受信ステップで受信する信号の設定周波数を変更する周波数変更ステップと、をさらに備え、
前記周波数変更ステップで前記設定周波数を変更した信号の強度値が連続的に前記第１の閾値以上であると前記信号強度判別ステップで判別した時間である連続検出時間を含む前記設定周波数毎の連続検出時間の合計時間が第１の基準時間より長いか否かを前記第１の時間比較ステップで判別させ、
前記設定周波数毎の連続検出時間の合計時間が第１の基準時間より長いと前記第１の時間比較ステップで判別した場合に、前記周波数変更ステップで変更した設定周波数と、変更する前の設定周波数との間の周波数帯域に盗聴・盗撮波の一部が存在すると前記報知ステップで報知させる、
ことを特徴とする請求項４に記載の盗聴・盗撮器発見方法。
【請求項６】
盗聴・盗撮波が存在しないとみなされる周波数を記憶する周波数記憶ステップをさらに備え、
前記周波数記憶ステップで記憶している周波数を除いた周波数を有する信号を前記信号受信ステップで順に受信し、
前記信号受信ステップで受信した信号が盗聴・盗撮波または盗聴・盗撮波の一部であるかを前記第１の時間比較ステップで逐一判別する、
ことを特徴とする請求項４又は５に記載の盗聴・盗撮器発見方法。
【発明の詳細な説明】
【技術分野】
【０００１】
本発明は、室内や電話回線やＡＴＭ等に仕掛けられた無線伝送式の盗聴・盗撮器の有無を確認する盗聴・盗撮器発見装置、及び、盗聴・盗撮器発見方法に関する。
【背景技術】
【０００２】
近年、個人の部屋や会社の会議室等に無線伝送式の盗聴器が仕掛けられ、プライバシーの侵害や企業秘密の傍受・漏洩等の被害が多発している。また、無線盗撮器が金融機関のＡＴＭ等に設置され、ＡＴＭの操作時の画像を無線送信されることで暗証番号が第三者に漏れるような被害が発生している。そこで、それらの被害を防止するために、盗聴・盗撮器を発見する様々な盗聴・盗撮器発見装置が提案されている。
【０００３】
例えば、特許文献１に開示されている盗聴・盗撮器発見装置は、盗聴・盗撮器が採用する各周波数における信号の強度を順に計測し、計測した強度が所定の閾値以上であるか否かを判別する。その後、ユーザが、所定の閾値以上である強度の信号が盗聴・盗撮器によるものか否かを判別する。
【特許文献１】特開２００２−１５２３６９号公報
【発明の開示】
【発明が解決しようとする課題】
【０００４】
しかし、特許文献１に開示されている技術では、盗聴・盗撮器が使用する周波数を予め知っておく必要がある。
【０００５】
また、盗聴・盗撮器が仕掛けられる空間には、盗聴・盗撮器によるもの以外の信号が存在している場合が多く、所定の閾値以上である強度の信号が必ずしも盗聴・盗撮器のものである訳ではない。そのため、盗聴器発見には、盗聴・盗撮器発見装置のオペレータの経験や勘に依存することが多い。
【０００６】
さらに、盗聴・盗撮器は、スペクトラム拡散変調方式を使用していることがある。スペクトラム拡散変調方式では、周波数の帯域が広い反面、周波数に対する電力スペクトラム密度が低い。そのため、特許文献１に開示されている盗聴・盗撮器発見装置では、その電波（信号）の存在確認が困難であり、スペクトラム拡散変調方式を使用した盗聴・盗撮器の発見が困難である。
【０００７】
本発明は、上記問題点に鑑みてなされたもので、盗聴器を発見するために好適な盗聴・盗撮器発見装置、及び、盗聴・盗撮器発見方法を提供することを目的とする。
【課題を解決するための手段】
【０００８】
上記目的を達成するために、本発明の第１の観点に係る盗聴・盗撮器発見装置は、
設定された周波数の信号を受信する信号受信部と、
前記信号受信部が受信した信号の強度値が第１の閾値以上であるか否かを判別する信号強度判別部と、
前記信号受信部が受信した信号の強度値が第１の閾値以上であると前記信号強度判別部が判別した場合に、前記信号受信部が受信した信号の強度値が連続的に第１の閾値以上であると前記信号強度判別部が判別した時間である連続検出時間が第１の基準時間より長いか否かを判別する第１の時間比較部と、
前記連続検出時間が前記第１の基準時間より長いと前記第１の時間比較部が判別した場合に、前記信号受信部が受信した信号は盗聴・盗撮によるものであることを報知する報知部と、
を備えることを特徴とする。
【０００９】
前記連続検出時間が前記第１の基準時間より短いと前記第１の時間比較部が判別し、且つ、前記信号の強度値が第１の閾値未満となったと前記信号強度判別部が判別した場合に、前記信号の強度値が連続的に第１の閾値未満であると前記信号強度判別部が判別した時間である連続未検出時間が、前記第１の基準時間より短い第２の基準時間より長いか否かを判別する第２の時間比較部と、
前記連続未検出時間が前記第２の基準時間より短いと前記第２の時間比較部が判別した場合に、前記信号受信部が受信する信号の設定周波数を変更する周波数変更部と、をさらに備え、
前記第１の時間比較部に、前記周波数変更部が前記設定周波数を変更した信号の強度値が連続的に前記第１の閾値以上であると前記信号強度判別部が判別した時間である連続検出時間を含む、前記信号受信部が受信した信号の全ての設定周波数毎の連続検出時間の合計時間が第１の基準時間より長いか否かを判別させ、
前記設定周波数毎の連続検出時間の合計時間が第１の基準時間より長いと前記第１の時間比較部が判別した場合に、前記報知部に、前記周波数変更部が変更した設定周波数と、変更する前の設定周波数との間の周波数帯域に盗聴・盗撮波の一部が存在すると報知させてもよい。
【００１０】
例えば、盗聴・盗撮波が存在しないとみなされる周波数を記憶する周波数記憶部をさらに備え、
前記信号受信部は、前記周波数記憶部が記憶している周波数を除いた周波数を有する信号を順に受信し、
前記第１の時間比較部は、前記信号受信部が受信した信号が盗聴・盗撮波または盗聴・盗撮波の一部であるかを逐一判別してもよい。
【００１１】
本発明の第２の観点に係る盗聴・盗撮器発見方法は、
設定された周波数の信号を受信する信号受信ステップと、
前記信号受信ステップで受信した信号の強度値が第１の閾値以上であるか否かを判別する信号強度判別ステップと、
前記信号受信ステップで受信した信号の強度値が第１の閾値以上であると前記信号強度判別ステップで判別した場合に、前記信号受信ステップで受信した信号の強度値が連続的に第１の閾値以上であると前記信号強度判別ステップで判別した時間である連続検出時間が第１の基準時間より長いか否かを判別する第１の時間比較ステップと、
前記連続検出時間が前記第１の基準時間より長いと前記第１の時間比較ステップで判別した場合に、前記信号受信ステップで受信した信号は盗聴・盗撮によるものであることを報知する報知ステップと、
を備えることを特徴とする。
【００１２】
例えば、前記連続検出時間が前記第１の基準時間より短いと前記第１の時間比較ステップで判別し、且つ、前記信号の強度値が第１の閾値未満となったと前記信号強度判別ステップで判別した場合に、前記信号の強度値が連続的に第１の閾値未満であると前記信号強度判別ステップで判別した時間である連続未検出時間が、前記第１の基準時間より短い第２の基準時間より長いか否かを判別する第２の時間比較ステップと、
前記連続未検出時間が前記第２の基準時間より短いと前記第２の時間比較ステップで判別した場合に、前記信号受信ステップで受信する信号の設定周波数を変更する周波数変更ステップと、をさらに備え、
前記周波数変更ステップで前記設定周波数を変更した信号の強度値が連続的に前記第１の閾値以上であると前記信号強度判別ステップで判別した時間である連続検出時間を含む前記設定周波数毎の連続検出時間の合計時間が第１の基準時間より長いか否かを前記第１の時間比較ステップで判別させ、
前記設定周波数毎の連続検出時間の合計時間が第１の基準時間より長いと前記第１の時間比較ステップで判別した場合に、前記周波数変更ステップで変更した設定周波数と、変更する前の設定周波数との間の周波数帯域に盗聴・盗撮波の一部が存在すると前記報知ステップで報知させてもよい。
【００１３】
例えば、盗聴・盗撮波が存在しないとみなされる周波数を記憶する周波数記憶ステップをさらに備え、
前記周波数記憶ステップで記憶している周波数を除いた周波数を有する信号を前記信号受信ステップで順に受信し、
前記信号受信ステップで受信した信号が盗聴・盗撮波または盗聴・盗撮波の一部であるかを前記第１の時間比較ステップで逐一判別してもよい。
【発明の効果】
【００１４】
本発明によれば、盗聴器を発見するために好適な盗聴・盗撮器発見装置、及び、盗聴・盗撮器発見方法を提供することができる。
【発明を実施するための最良の形態】
【００１５】
（第１の実施形態）
以下、第１の実施形態に係る盗聴・盗撮器発見装置１００を説明する。盗聴・盗撮器発見装置１００は、スペクトラム拡散方式を使用した盗聴器の発見を可能にする。盗聴・盗撮器発見装置１００は、金融機関のＡＴＭ（Automated Teller Machine;自動出納機）、企業の会議室等に設置される。
盗聴・盗撮器発見装置１００は、図１に示すように、受信装置１０と、盗聴・盗撮波検出装置２０と、出力装置３０と、から構成される。
【００１６】
受信装置１０は、長波から超短波に至る広帯域の周波数の電波を受信し、受信した電波をフィルタリングし、所定の周波数帯域の信号を取り出し、取り出した信号を復調し、復調した信号を音声として出力する。また、復調した信号を盗聴・盗撮波検出装置２０に出力する。
受信装置１０は、図１に示すように、アンテナ１１と、高周波（RF;Radio Frequency）増幅器１２と、混合器１３と、中間周波（IF;Intermediate Frequency）増幅器１４と、検波器１５と、低周波（AF;Audio Frequency）増幅器１６と、スピーカ１７と、局部発振器１８と、から構成される。
【００１７】
アンテナ１１は、空間の電波（電磁波）信号を高周波電流信号へ変換（受信）し、高周波増幅器１２に供給する。
【００１８】
高周波増幅器１２は、アンテナ１１から受信した電流信号の高周波を増幅し、混合器１３に供給する。
【００１９】
混合器１３は、高周波増幅器１２と局部発振器１８とから二つの異なる周波数帯の信号を受信し、それらを合成して中間周波数の信号を生成し、中間周波増幅器１４に供給する。
【００２０】
中間周波増幅器１４は、混合器１３より供給された電流信号の中間周波を復調可能なレベルまで増幅し、検波器１５に供給する。
【００２１】
検波器１５は、中間周波増幅器１４より供給された電流信号を処理し、音声信号を低周波増幅器１６又は外部装置に供給する。
【００２２】
低周波増幅器１６は、検波器１５より供給された音声信号の低周波をスピーカ１７が出力可能なレベルまで増幅し、スピーカ１７に供給する。
【００２３】
スピーカ１７は、低周波増幅器１６より供給された音声信号に基づいて、音声を出力する。なお、盗聴器検出時においては、復調した音声を出力しないように設定してもよい。
【００２４】
局部発振器１８は、盗聴・盗撮波検出装置２０の制御のもと、可変的な周波数の信号を生成し、混合器１３に供給する。
【００２５】
盗聴・盗撮波検出装置２０は、受信装置１０の検波部１５より供給された電流信号に基づいて盗聴・盗撮波の検出を行う。また、その際に、盗聴・盗撮波検出装置２０は、受信装置１０が受信対象の周波数信号を受信するように局部発振器１８を制御する。
【００２６】
盗聴・盗撮波検出装置２０は、周波数制御部２１と、計時部２２と、計時部２３と、信号受信部２４と、制御部２５と、記憶部２６と、操作部２７と、から構成される。
【００２７】
周波数制御部２１は、制御部２５の制御のもと、局部発振器１８に信号を供給し、受信装置１０が受信対象の周波数信号を受信するように制御する。
【００２８】
計時部２２は、制御部２５の制御のもと、盗聴・盗撮波検出装置２０が受信した信号がスペクトラム拡散変調方式を使用した盗聴・盗撮波であるか否かを判別するために、５００［ｍｓ］を計測する。また、計時部２２は、受信した信号の信号強度が閾値未満である時間を計測する。
【００２９】
計時部２３は、制御部２５の制御のもと、盗聴・盗撮波検出装置２０が受信した信号が盗聴・盗撮波であるか否かを判別するために、５［ｍｉｎ］を計測する。また、計時部２２は、受信した信号の信号強度が閾値以上である時間を計測する。
【００３０】
信号受信部２４は、受信装置１０より供給されたアナログ信号をデジタル信号に変換し、制御部２５に供給する。
【００３１】
制御部２５は、ＣＰＵ（Central Processing Unit）から構成され、記憶部２６に記憶されたオペレーティングシステム（ＯＳ）や制御プログラムを読み出して実行し、盗聴・盗撮波検出装置２０全体を制御する。
【００３２】
具体的には、制御部２５は、受信した信号の強度が連続して所定の閾値以上である時間を計測し、計測した時間によって盗聴・盗撮波であるか否かを判別する。
【００３３】
記憶部２６は、ハードディスク装置、フラッシュメモリ装置、ＲＡＭ（Random Access Memory）、ＲＯＭ（Read Only Memory）などから構成され、ＯＳ、所定の制御プログラムや、バックグラウンドデータリスト２６１等の種々のデータ等を記憶する。
【００３４】
バックグラウンドデータリスト２６１（以下、ＢＧデータリスト）は、図２に示すように、信号の強度が所定の閾値以上である周波数帯とその信号強度との項目から構成される。ＢＧデータについてさらに詳しく説明すると、ＢＧデータとは、家電機器、業務用通信機等の盗聴器以外の機器から送信される信号の周波数と電界強度値に関するデータである。また、ＢＧデータの取得は、部屋が新築された直後等の盗聴器が存在しないと確認された状態で行われる。
【００３５】
操作部２７は、操作キー等から構成される。操作部２７は、ユーザから操作を受け付け、操作に応じた操作信号を制御部２５に送出する。
【００３６】
出力装置３０は、ＬＣＤ（Liquid Crystal Display）、ＬＥＤ（Light Emitting Diode）、ブザー等から構成され、盗聴・盗撮波検出装置２０が盗聴・盗撮波を検出した場合に、ユーザにその旨を報知する。
【００３７】
以下、上記構成を有する盗聴・盗撮器発見装置１００の動作を説明する。
【００３８】
先ず、スペクトラム拡散変調方式を使用した盗聴器の盗聴・盗撮波の特徴について説明する。スペクトラム拡散変調方式を使用した盗聴・盗撮波は、図３（ａ）に示すように、非常に広帯域な包絡線を有する被変調波となる。そのため、周波数に対する電力スペクトラム密度が低いため電波の存在が希薄となり、傍受しにくい。また、スペクトラム拡散変調方式を使用した盗聴・盗撮波は、ある周波数ｆｃを中心として、広帯域に分布している可能性が高い。
【００３９】
また、周波数ホッピングのスペクトラム拡散変調方式では、長時間観測すると広帯域を占有しているが、極めて短い時間（０．１秒程度が多い）ごとに信号の周波数を変更するため、スキャンの為に周波数を設定した際には、信号が検出されないことがある。
【００４０】
そこで、第１の実施形態に係る盗聴・盗撮器発見装置１００は、所望の設置場所に設置された後、先ず、ＢＧデータの取得を行う。例えば、盗聴・盗撮器発見装置１００が金融機関のＡＴＭに設置される場合、そのＡＴＭが新設された直後は周囲に盗聴・盗撮器が存在しないとみなす事ができる。盗聴・盗撮器発見装置１００は、そのような状況下で、スキャンして検出される信号の周波数とその信号強度を保存し、ＢＧデータを取り込み、ＢＧデータリスト２６１にＢＧデータを登録する。
【００４１】
そして、盗聴・盗撮器発見装置１００は、低周波数から高周波数に向けて、盗聴・盗撮波が存在しないとみなすＢＧデータリスト２６１に登録されている周波数を避け、設定周波数を所定の幅で変更しながら、所定の閾値以上の強度の信号を測定する。なお、高周波から低周波にかけて同帯域の信号強度を測定してもよい。
【００４２】
通常、盗聴器は連続的に一定の強度以上の信号を送信しているから、ここで、ある周波数における電界強度が所定の閾値以上である時間が５［ｍｉｎ］以上である場合には、その信号は盗聴・盗撮波であると判定する。
【００４３】
例えば、図３（ｂ）に示すように、周波数ｆ１における電界強度が所定の閾値以上である時間が５［ｍｉｎ］以上である場合には、周波数ｆ１の信号は盗聴・盗撮波であると判定する。
【００４４】
また、ある周波数における電界強度が所定の閾値以上である時間（以下、連続検出時間）が５［ｍｉｎ］未満であり、その時間が経過してから、つまり、その周波数における電界強度が所定の閾値未満になってから電界強度が所定の閾値以上になるまでの時間（以下、連続未検出時間）が５００［ｍｓ］未満である場合には、その信号はスペクトラム拡散変調方式を利用した盗聴・盗撮波である可能性があると判断する。
【００４５】
信号がスペクトラム拡散変調方式を利用した盗聴・盗撮波である可能性が高いと判定された場合は、近傍の周波数に受信装置１０の受信周波数を変更する。変更前の周波数における電界強度が所定の閾値以上である時間と、変更後の周波数における電界強度が所定の閾値以上である時間と、の合計時間が５［ｍｉｎ］以上である場合には、変更前の周波数と、変更した後の周波数との間の周波数帯域に盗聴・盗撮波の一部が存在すると判定する。
【００４６】
例えば、図３（ｂ）に示すように、周波数ｆ２において連続未検出時間が５００［ｍｓ］未満であり、周波数ｆ２における連続検出時間と周波数ｆ３における連続検出時間との合計時間が５［ｍｉｎ］以上である場合には、周波数ｆ２と、周波数ｆ３との間の周波数帯域に盗聴・盗撮波の一部が存在すると判定する。
【００４７】
なお、複数の近傍の周波数において複数の連続未検出時間が５００［ｍｓ］以下であり、それらの周波数における電界強度が所定の閾値以上である時間の合計が５［ｍｉｎ］以上である場合に、変更前の周波数と、変更した後の周波数との間の周波数帯域に盗聴・盗撮波の一部が存在すると判定してもよい。
【００４８】
例えば、図３（ｂ）に示すように、周波数ｆ４とｆ５において連続未検出時間が５００［ｍｓ］未満であり、周波数ｆ４とｆ５とｆ６とにおける連続検出時間の合計時間が５［ｍｉｎ］以上である場合には、周波数ｆ４，ｆ５，ｆ６を含む帯域に盗聴・盗撮波の一部が存在すると判定する。
【００４９】
このようにして、盗聴・盗撮器発見装置１００は、スペクトラム拡散変調方式を利用した信号を含む盗聴・盗撮波の検出を行う。
【００５０】
次に、図４を参照しながら、盗聴・盗撮器発見装置１００の実際の処理を説明する。
【００５１】
先ず、盗聴・盗撮波検出装置２０が行う盗聴・盗撮波探索処理を説明する。
【００５２】
簡単に説明すると、盗聴・盗撮波検出装置２０は、ある周波数における電界強度が所定の閾値以上である時間を測定し、盗聴・盗撮波であるか、その信号がスペクトラム拡散方式による盗聴・盗撮波である可能性があるかを判別する。
【００５３】
設定された周波数における電界強度が閾値以上である時間が、予め設定された時間（例えば、５ｍｉｎ）未満である場合に、続いてその設定された周波数における電界強度が閾値未満である時間を計測する。そして、電界強度が閾値未満である時間が、予め設定された時間（例えば、５００ｍｓ）未満である場合に、盗聴・盗撮波発見装置２０は、設定された周波数の近傍に受信周波数を変更し、変更された周波数における電界強度が所定の閾値以上である時間を測定する。変更される前の周波数における電界強度が所定の閾値以上である時間と、変更された後の周波数における電界強度が所定の閾値以上である時間と、の合計時間に基づいて、それらの周波数の近傍に盗聴・盗撮波が存在するか否かを判定する。
【００５４】
以下、図４に示すフローチャートを参照しながら、盗聴・盗撮波探索処理を詳細に説明する。
【００５５】
先ず、制御部２５は、ユーザより操作部２７を介して盗聴・盗撮波探索処理を開始する旨の信号を受信すると、記憶部２６に記憶している設定周波数を所定の幅だけ変更する（ステップＳ１０１）。
【００５６】
制御部２５は、設定周波数がＢＧデータリスト２６１に登録されている周波数と同じであるか否かを判別する（ステップＳ１０２）。
【００５７】
設定周波数がＢＧデータリスト２６１に登録されている周波数と同じであると判別すると（Ｓ１０２；ＹＥＳ）、制御部２５は、処理をステップＳ１０１に移行させる。
【００５８】
設定周波数がＢＧデータリスト２６１に登録されている周波数と同じではないと判別すると（Ｓ１０２；ＮＯ）、制御部２５は、受信装置１０が設定周波数の信号を受信するように制御信号を受信装置１０に送信する（ステップＳ１０３）。
【００５９】
ここで、受信装置１０は、盗聴・盗撮波検出装置２０の制御部２５より制御信号を受信すると、受信する信号の周波数を設定周波数に変更する（ステップＳ２０１）。
【００６０】
受信装置１０は、設定周波数の信号を盗聴・盗撮波検出装置２０に出力開始する（ステップＳ２０２）。
【００６１】
ステップＳ２０２において受信装置１０が受信信号を出力開始すると、盗聴・盗撮波検出装置２０の制御部２５は、受信装置１０より信号を受信開始する（ステップＳ１０４）。
【００６２】
制御部２５は、所定の強度以上の信号を受信しているか否かを判別する（ステップＳ１０５）。
【００６３】
所定の強度以上の信号を受信していると判別すると（Ｓ１０５；ＹＥＳ）、制御部２５は、計時部２２（５００ｍｓタイマ）が計時中であるか否かを判別する（ステップＳ１０６）。
【００６４】
計時部２２（５００ｍｓタイマ）が計時中であると判別すると（Ｓ１０６；ＹＥＳ）、制御部２５は、計時部２２を停止させ（ステップＳ１０７）、処理をステップＳ１０８に移行させる。
【００６５】
計時部２２（５００ｍｓタイマ）が計時中ではないと判別すると（Ｓ１０６；ＮＯ）、制御部２５は、処理をステップＳ１０８に移行させる。
【００６６】
制御部２５は、計時部２３（５ｍｉｎタイマ）が計時中であるか否かを判別する（ステップＳ１０８）。
【００６７】
計時部２３（５ｍｉｎタイマ）が計時中であると判別すると（Ｓ１０８；ＹＥＳ）、制御部２５は、処理をステップ１１０に移行させる。
【００６８】
計時部２３（５ｍｉｎタイマ）が計時中ではないと判別すると（Ｓ１０８；ＮＯ）、制御部２５は、計時部２３に計時を開始させる（ステップＳ１０９）。
【００６９】
制御部２５は、計時部２３（５ｍｉｎタイマ）が５［ｍｉｎ］を計時したか否かを判別する（ステップＳ１１０）。
【００７０】
計時部２３（５ｍｉｎタイマ）が５［ｍｉｎ］を計時していないと判別すると（Ｓ１１０；ＮＯ）、制御部２５は処理をステップＳ１０５に移行させる。
【００７１】
計時部２３（５ｍｉｎタイマ）が５［ｍｉｎ］を計時したと判別すると（Ｓ１１０；ＹＥＳ）、制御部２５は、盗聴・盗撮波又は盗聴・盗撮波の一部が存在すると判定し（ステップ１１１）、出力装置３０にその旨の出力をするように制御し、計時部２２，２３を初期化する。
【００７２】
ステップ１０５において、所定の強度以上の信号を受信していないと判別すると（Ｓ１０５；ＮＯ）、制御部２５は、計時部２３（５ｍｉｎタイマ）が計時中であるか否かを判別する（ステップＳ１１２）。
【００７３】
計時部２３（５ｍｉｎタイマ）が計時中ではないと判別すると（Ｓ１１２；ＮＯ）、制御部２５は、処理をステップ１１８に移行させる。
【００７４】
計時部２３（５ｍｉｎタイマ）が計時中であると判別すると（Ｓ１１２；ＹＥＳ）、制御部２５は、計時部２２（５００ｍｓタイマ）が計時中であるか否かを判別する（ステップＳ１１３）。
【００７５】
計時部２２（５００ｍｓタイマ）が計時中であると判別すると（Ｓ１１３；ＹＥＳ）、制御部２５は、処理をステップＳ１１５に移行させる。
【００７６】
計時部２２（５００ｍｓタイマ）が計時中ではないと判別すると（Ｓ１１３；ＮＯ）、制御部２５は、計時部２２の計時を開始し（ステップＳ１１４）、処理をステップＳ１１５に移行させる。
【００７７】
ステップＳ１１５において、制御部２５は、計時部２２（５００ｍｓタイマ）が５００［ｍｓ］を計時したか否かを判別する（ステップＳ１１６）。
【００７８】
計時部２２（５００ｍｓタイマ）が５００［ｍｓ］を計時していないと判別すると（Ｓ１１６；ＮＯ）、制御部２５は、計時部２２と計時部２３（５ｍｉｎタイマ）の計時を継続し（ステップＳ１１６）、処理をステップＳ１１８に移行させる。
【００７９】
計時部２２（５００ｍｓタイマ）が５００［ｍｓ］を計時していると判別すると（Ｓ１１６；ＹＥＳ）、制御部２５は、計時部２２，２３を初期化し（ステップＳ１１７）、処理をステップＳ１１８に移行させる。
【００８０】
ステップＳ１１８において、制御部２５は、ＢＧデータリスト２６１に登録されている周波数を除いた、予め設定された周波数帯域の全帯域で盗聴・盗撮波の探索を行ったか否かを判別する（ステップＳ１１８）。
【００８１】
周波数帯域の全帯域で盗聴・盗撮波の探索を行っていないと判別すると（Ｓ１１８；ＮＯ）、制御部２５は、処理をステップＳ１０１に移行させる。
【００８２】
周波数帯域の全帯域で盗聴・盗撮波の探索を行ったと判別すると（Ｓ１１８；ＹＥＳ）、制御部２５は、設定周波数を初期化し、処理をステップＳ１０１に移行させる。
【００８３】
以上、このようにして、第１の実施形態に係る盗聴・盗撮器発見装置１００によれば、スペクトラム拡散変調方式を利用した信号を含む盗聴・盗撮波の検出を行うことができる。
【００８４】
（第２の実施形態）
上記実施形態において盗聴・盗撮器発見装置１００は、受信装置１０と、盗聴・盗撮波検出装置２０と、出力装置３０とが相互に接続されて構成されている。この発明の盗聴・盗撮器発見装置は、これに限定されない。
例えば、図５に示すように、筐体を共通化して、受信装置と盗聴・盗撮波検出装置と出力装置とを一体とした盗聴・盗撮器発見装置２００としてもよい。なお、盗聴・盗撮器発見装置２００の回路構成は、図１に示す盗聴・盗撮器発見装置１００と共通でも良い。
【００８５】
（第３の実施形態）
また、受信装置が制御部を備えるようにし、受信装置の制御部と盗聴・盗撮波検出装置の制御部の間で盗聴・盗撮波探索に関するデータ通信を行うようにしてもよい。
【００８６】
第３の実施形態に係る盗聴・盗撮器発見装置３００は、図６に示すように、受信装置３１０と、盗聴・盗撮波検出装置３２０と、出力装置３３０と、から構成される。第３の実施形態に係る盗聴・盗撮器発見装置３００においては、盗聴・盗撮波検出装置３２０がスキャン制御と盗聴・盗撮波の検出とを行う。
【００８７】
受信装置３１０は、図６に示すように、アンテナ３１１と、高周波増幅器３１２と、混合器３１３と、中間周波増幅器３１４と、検波器３１５と、低周波増幅器３１６と、スピーカ３１７と、局部発振器３１８と、制御部３１９と、から構成される。
【００８８】
アンテナ３１１は、空間の電波（電磁波）信号を高周波電流信号へ変換（受信）し、高周波増幅器３１２に供給する。
【００８９】
高周波増幅器３１２は、アンテナ３１１から受信した電流信号の高周波を増幅し、混合器３１３に供給する。
【００９０】
混合器３１３は、高周波増幅器３１２と局部発振器３１８とから二つの異なる周波数帯の信号を受信し、それらを合成して中間周波数の信号を生成し、中間周波増幅器３１４に供給する。
【００９１】
中間周波増幅器３１４は、混合器３１３より供給された電流信号の中間周波を復調可能なレベルまで増幅し、検波器３１５に供給する。
【００９２】
検波器３１５は、中間周波増幅器３１４より供給された電流信号を処理し、音声信号を低周波増幅器３１６又は制御部３１９に供給する。
【００９３】
低周波増幅器３１６は、検波器３１５より供給された音声信号の低周波をスピーカ３１７が出力可能なレベルまで増幅し、スピーカ３１７に供給する。
【００９４】
スピーカ３１７は、低周波増幅器３１６より供給された音声信号に基づいて、音声を出力する。なお、盗聴器検出時においては、復調した音声を出力しないように設定してもよい。
【００９５】
局部発振器３１８は、制御部３１９の制御のもと、可変的な周波数の信号を生成し、混合器３１３に供給する。
【００９６】
盗聴・盗撮波検出装置３２０は、計時部３２２と、計時部３２３と、制御部３２５と、記憶部３２６と、操作部３２７と、から構成される。
【００９７】
計時部３２２は、制御部３２５の制御のもと、盗聴・盗撮波検出装置３２０が受信した信号がスペクトラム拡散変調方式を使用した盗聴・盗撮波であるか否かを判別するために、５００［ｍｓ］を計測する。また、計時部３２２は、受信した信号の信号強度が閾値未満である時間を計測する。
【００９８】
計時部３２３は、制御部３２５の制御のもと、盗聴・盗撮波検出装置３２０が受信した信号が盗聴・盗撮波であるか否かを判別するために、５［ｍｉｎ］を計測する。また、計時部３２３は、受信した信号の信号強度が閾値以上である時間を計測する。
【００９９】
制御部３２５は、ＣＰＵ（Central Processing Unit）から構成され、記憶部３２６に記憶されたオペレーティングシステム（ＯＳ）や制御プログラムを読み出して実行し、盗聴・盗撮波検出装置３２０全体を制御する。
【０１００】
具体的には、制御部３２５は、受信した信号の強度が連続して所定の閾値以上である時間を計測し、計測した時間によって盗聴・盗撮波であるか否かを判別する。
【０１０１】
記憶部３２６は、ハードディスク装置、フラッシュメモリ装置、ＲＡＭ（Random Access Memory）、ＲＯＭ（Read Only Memory）などから構成され、ＯＳ、所定の制御プログラムや、バックグラウンドデータリスト２６１等の種々のデータ等を記憶する。
【０１０２】
操作部３２７は、操作キー等から構成される。操作部３２７は、ユーザから操作を受け付け、操作に応じた操作信号を制御部３２５に送出する。
【０１０３】
出力装置３３０は、ＬＣＤ（Liquid Crystal Display）、ＬＥＤ（Light Emitting Diode）、ブザー等から構成され、盗聴・盗撮波検出装置２０が盗聴・盗撮波を検出した場合に、ユーザにその旨を報知する。
【０１０４】
（第４の実施形態）
第３の実施形態に係る盗聴・盗撮器発見装置３００は、図７に示すように、受信装置３１０がスキャンの制御を行い、盗聴・盗撮波検出装置３２０が盗聴・盗撮波の検出を行うような処理を行ってもよい。
【０１０５】
図７を参照しながら、第４の実施形態に係る盗聴・盗撮器発見装置３００の実際の処理を説明する。
【０１０６】
先ず、受信装置３１０が行う信号受信処理を図７に示すフローチャートを参照しながら詳細に説明する。
【０１０７】
受信装置３１０の制御部３１９は、電源を投入されると、制御部３１９において設定されている設定周波数を所定の幅だけ変更する（ステップＳ３０１）。
【０１０８】
制御部３１９は、ＢＧデータリストを盗聴・盗撮波検出装置３２０の記憶部３２６より取得し、設定周波数がＢＧデータリストに登録されている周波数と同じであるか否かを判別する（ステップＳ３０２）。
【０１０９】
設定周波数がＢＧデータリストに登録されている周波数と同じであると判別すると（Ｓ３０２；ＹＥＳ）、制御部３１９は、処理をステップＳ３０１に移行させる。
【０１１０】
設定周波数がＢＧデータリストに登録されている周波数と同じではないと判別すると（Ｓ３０２；ＮＯ）、制御部３１９は、設定周波数の信号を受信するように局部発振器を制御し、受信周波数を変更する（ステップＳ３０３）。
【０１１１】
制御部３１９は、設定周波数の信号を盗聴・盗撮波検出装置３２０に出力開始する（ステップＳ３０４）。
【０１１２】
制御部３１９は、所定の閾値以上の強度の信号を受信しているか否かを判別する（ステップＳ３０５）。
【０１１３】
所定の閾値以上の強度の信号を受信していると判別すると（Ｓ３０５；ＹＥＳ）、制御部３１９は、処理をステップＳ３０５に戻す。
【０１１４】
受信している信号の強度が所定の閾値未満であると判別すると（Ｓ３０５；ＮＯ）、制御部３１９は、ＢＧデータリストに登録されている周波数を除いた、予め設定された周波数帯域の全帯域で盗聴・盗撮波の受信を行ったか否かを判別する（ステップＳ３０６）。
【０１１５】
周波数帯域の全帯域で盗聴・盗撮波の探索を行っていないと判別すると（Ｓ３０６；ＮＯ）、制御部３１９は、処理をステップＳ３０１に移行させる。
【０１１６】
周波数帯域の全帯域で盗聴・盗撮波の探索を行ったと判別すると（Ｓ３０６；ＹＥＳ）、制御部３１９は、設定周波数を初期化し、処理をステップＳ３０１に移行させる。
【０１１７】
次に、盗聴・盗撮波検出装置３２０が行う盗聴・盗撮波探索処理を説明する。
【０１１８】
以下、図７に示すフローチャートを参照しながら、盗聴・盗撮波探索処理を詳細に説明する。
【０１１９】
受信装置３１０が信号受信処理のステップＳ３０４において、受信信号を出力開始すると、盗聴・盗撮波検出装置３２０の制御部３２５は、受信装置３１０より信号を受信開始する（ステップＳ４０１）。
【０１２０】
制御部３２５は、所定の閾値以上の強度の信号を受信しているか否かを判別する（ステップＳ４０２）。
【０１２１】
所定の強度以上の信号を受信していると判別すると（Ｓ４０２；ＹＥＳ）、制御部３２５は、計時部３２２（５００ｍｓタイマ）が計時中であるか否かを判別する（ステップＳ４０３）。
【０１２２】
計時部３２２（５００ｍｓタイマ）が計時中であると判別すると（Ｓ４０３；ＹＥＳ）、制御部３２５は、計時部３２２を停止させ（ステップＳ４０４）、処理をステップＳ４０５に移行させる。
【０１２３】
計時部３２２（５００ｍｓタイマ）が計時中ではないと判別すると（Ｓ４０３；ＮＯ）、制御部３２５は、処理をステップＳ４０５に移行させる。
【０１２４】
制御部３２５は、計時部３２３（５ｍｉｎタイマ）が計時中であるか否かを判別する（ステップＳ４０５）。
【０１２５】
計時部３２３（５ｍｉｎタイマ）が計時中であると判別すると（Ｓ４０５；ＹＥＳ）、制御部３２５は、処理をステップＳ４０７に移行させる。
【０１２６】
計時部３２３（５ｍｉｎタイマ）が計時中ではないと判別する（Ｓ４０５；ＮＯ）、制御部３２５は、計時部３２３に計時を開始させ（ステップＳ４０６）、処理をステップＳ４０７に移行させる。
【０１２７】
制御部３２５は、計時部３２３（５ｍｉｎタイマ）が５［ｍｉｎ］を計時したか否かを判別する（ステップＳ４０７）。
【０１２８】
計時部３２３（５ｍｉｎタイマ）が５［ｍｉｎ］を計時していないと判別すると（Ｓ４０７；ＮＯ）、制御部３２５は処理をステップＳ４０２に移行させる。
【０１２９】
計時部３２３（５ｍｉｎタイマ）が５［ｍｉｎ］を計時したと判別すると（Ｓ４０７；ＹＥＳ）、制御部３２５は、盗聴・盗撮波又は盗聴・盗撮波の一部が存在すると判定し（ステップＳ４０８）、出力装置３３０にその旨の出力をするように制御し、計時部３２２，３２３を初期化する。
【０１３０】
ステップＳ４０２において、所定の強度以上の信号を受信していないと判別すると（Ｓ４０２；ＮＯ）、制御部３２５は、計時部３２３（５ｍｉｎタイマ）が計時中であるか否かを判別する（ステップＳ４０９）。
【０１３１】
計時部３２３（５ｍｉｎタイマ）が計時中ではないと判別する（Ｓ４０９；ＮＯ）、制御部３２５は、処理をステップＳ４０１に移行させる。
【０１３２】
計時部３２３（５ｍｉｎタイマ）が計時中であると判別する（Ｓ４０９；ＹＥＳ）、制御部３２５は、計時部３２２（５００ｍｓタイマ）が計時中であるか否かを判別する（ステップＳ４１０）。
【０１３３】
計時部３２２（５００ｍｓタイマ）が計時中であると判別すると（Ｓ４１０；ＹＥＳ）、制御部３２５は、処理をステップＳ４１２に移行させる。
【０１３４】
計時部３２２（５００ｍｓタイマ）が計時中ではないと判別すると（Ｓ４１０；ＮＯ）、制御部３２５は、計時部３２２の計時を開始し（ステップＳ４１１）、処理をステップＳ４１２に移行させる。
【０１３５】
ステップＳ４１２において、制御部３２５は、計時部３２２（５００ｍｓタイマ）が５００［ｍｓ］を計時したか否かを判別する（ステップＳ４１２）。
【０１３６】
計時部３２２（５００ｍｓタイマ）が５００［ｍｓ］を計時していないと判別すると（Ｓ４１２；ＮＯ）、制御部３２５は、計時部３２２と計時部３２３（５ｍｉｎタイマ）の計時を継続し（ステップＳ４１３）、処理をステップＳ４０１に移行させる。
【０１３７】
計時部３２２（５００ｍｓタイマ）が５００［ｍｓ］を計時していると判別すると（Ｓ４１２；ＹＥＳ）、制御部３２５は、計時部３２２，３２３を初期化し（ステップＳ４１４）、処理をステップＳ４０１に移行させる。
【０１３８】
以上、このようにして、第４の実施形態に係る盗聴・盗撮器発見装置３００によれば、スペクトラム拡散変調方式を利用した信号を含む盗聴・盗撮波の検出を行うことができる。
【０１３９】
なお、本発明は上記実施形態に限定されず、種々の変形及び応用が可能である。
【０１４０】
上記実施形態において、計時部２２，３２２は、５００［ｍｓ］を計時したが、他の任意の時間を計時するようにしてもよい。また、計時部２３，３２３は、５［ｍｉｎ］を計時したが、他の任意の時間を計時するようにしてもよい。
【０１４１】
本発明に係る盗聴・盗撮器発見装置１００，２００，３００は、専用のシステムによらず、通常のコンピュータシステムを用いて実現可能である。たとえば、任意の周波数の電波を受信可能な構成のコンピュータに、上記動作を実行するためのプログラムを、コンピュータシステムが読みとり可能な記録媒体（フレキシブルディスク、ＣＤ−ＲＯＭ、ＤＶＤ−ＲＯＭ等）に格納して配布し、当該プログラムをコンピュータシステムにインストールすることにより、上述の処理を実行する盗聴・盗撮器発見装置を構成してもよい。また、インターネット等の通信ネットワーク上のサーバ装置が有するストレージに当該プログラムを格納しておき、通常のコンピュータシステムがダウンロード等することで盗聴・盗撮器発見装置を構成してもよい。
【０１４２】
また、上述の機能を、ＯＳ（Operating System）とアプリケーションとの分担、またはＯＳとアプリケーションとの協働により実現する場合などには、アプリケーション部分のみを記録媒体やストレージに格納してもよい。
【０１４３】
また、搬送波にプログラムを重畳し、通信ネットワークを介して配信することも可能である。たとえば、通信ネットワーク上のサーバに前記プログラムを格納し、ネットワークを介して前記プログラムを配信してもよい。そして、このプログラムを起動し、ＯＳの制御下で、他のアプリケーションプログラムと同様に実行することにより、上述の処理を実行できるように構成してもよい。
【図面の簡単な説明】
【０１４４】
【図１】本発明の第１の実施形態に係る盗聴・盗撮器発見装置の構成図である。
【図２】バックグラウンドデータリストを説明するための表である。
【図３】本発明の第１の実施形態に係る盗聴・盗撮器発見装置の動作を説明するための図である。
【図４】盗聴・盗撮波探索処理と信号受信処理を説明するためのフローチャートである。
【図５】本発明の第２の実施形態に係る盗聴・盗撮器発見装置の構成図である。
【図６】本発明の第３の実施形態に係る盗聴・盗撮器発見装置の構成図である。
【図７】本発明の第４の実施形態における盗聴・盗撮波探索処理と信号受信処理を説明するためのフローチャートである。
【符号の説明】
【０１４５】
１０    受信装置
１１    アンテナ
１２    高周波増幅器
１３    混合器
１４    中間周波増幅器
１５    検波器
１６    低周波増幅器
１７    スピーカ
１８    局部発振器
２０    盗聴・盗撮波検出装置
２１    周波数制御部
２２    計時部
２３    計時部
２４    信号受信部
２５    制御部
２６    記憶部
２７    操作部
３０    出力装置
１００  盗聴・盗撮器発見装置
２００  盗聴・盗撮器発見装置
３００  盗聴・盗撮器発見装置
２６１  バックグラウンドデータリスト
【図１】
2008301296.tif 000003
【図２】
2008301296.tif 000004
【図３】
2008301296.tif 000005
【図４】
2008301296.tif 000006
【図５】
2008301296.tif 000007
【図６】
2008301296.tif 000008
【図７】
2008301296.tif 000009